(57)【特許請求の範囲】
【請求項１】
上縁部に設けられた挿入開口部を通して、正面および背面側の各パネル間にガラス板が挿入配置されており、各パネルには、ガラス板が露出する正方形状の開口部がそれぞれ設けられるとともに、各パネルに設けられたそれぞれの開口部の周縁部に、ガラス板のそれぞれの面に圧接されるパッキングがそれぞれ取り付けられた玄関ドアであって、
一方のパネルに設けられたパッキングは、他方のパネルに設けられたパッキングよりも軟らかい軟質弾性樹脂によって正方形枠状に一体成形されるとともに、このパッキングは、枠本体部の外周面に全周にわたって補助枠部が設けられており、補助枠部は枠本体部の外周面との間に係合溝部が設けられ、この係合溝部から離れるにつれて、順次、枠本体部の一方の端部側に湾曲され、その周縁部と枠本体部との間には凹部が形成されてなり、この補助枠部の各コーナー部には、パネルに設けられた開口部を通してパッキングを取り外す際に内角を小さく変形させることが容易にできるように盛り上がった突出部が形成されていることを特徴とする玄関ドア。
【発明の詳細な説明】
【０００１】
【発明の属する技術分野】
本発明は、住宅の玄関に設けられた開口部を開閉するために配置される玄関ドアに関し、特に、内部にガラス板が設けられて、正面および背面の各パネルに設けられた開口部からガラス板の一部が露出した玄関ドアに関する。
【０００２】
【従来の技術】
住宅の玄関に設けられた開口部を開閉するために配置される玄関ドアとしては、例えば特開平５−９８８７４号公報に開示されているように、玄関内への採光のため、あるいは装飾のために、内部にガラス板が設けられる場合がある。このような玄関ドアでは、正面パネルおよび背面パネルにそれぞれ設けられた複数の開口部からガラス板の表面が露出されるようになっている。
【０００３】
正面パネルおよび背面パネルに設けられた各開口部の周縁部には、各開口部を取り囲むパッキングが、正面パネルおよび背面パネルにそれぞれ取り付けられており、正面パネルおよび背面パネルに取り付けられた各パッキングが、ガラス板の表面にそれぞれ圧接されている。
【０００４】
【発明が解決しようとする課題】
このような玄関ドアでは、ガラス板は、上縁部に設けられた開口部を通して、正面パネルおよび背面パネルにそれぞれ取り付けられた各パッキング間に挿入されるようになっている。従って、ガラス板が破損したような場合には、ガラス板を上方にスライドさせて、上縁部に設けられた開口部から取り外す必要がある。しかしながら、ガラス板の両面には、正面パネルおよび背面パネルにそれぞれ取り付けられたパッキングが圧接されているために、ガラス板を上方にスライドさせて取り外すことは容易でないという問題がある。
【０００５】
本発明はこのような問題を解決するものであり、その目的は、正面側および背面側の各パネルにそれぞれ取り付けられた各パッキングがガラス板にそれぞれ圧接されているにもかかわらず、ガラス板を容易に取り外すことができる玄関ドアを提供することにある。
【０００６】
【課題を解決するための手段】
本発明の玄関ドアは、上縁部に設けられた挿入開口部を通して、正面および背面側の各パネル間にガラス板が挿入配置されており、各パネルには、ガラス板が露出する正方形状の開口部がそれぞれ設けられるとともに、各パネルに設けられたそれぞれの開口部の周縁部に、ガラス板のそれぞれの面に圧接されるパッキングがそれぞれ取り付けられた玄関ドアであって、一方のパネルに設けられたパッキングは、他方のパネルに設けられたパッキングよりも軟らかい軟質弾性樹脂によって正方形枠状に一体成形されるとともに、このパッキングは、枠本体部の外周面に全周にわたって補助枠部が設けられており、補助枠部は枠本体部の外周面との間に係合溝部が設けられ、この係合溝部から離れるにつれて、順次、枠本体部の一方の端部側に湾曲され、その周縁部と枠本体部との間には凹部が形成されてなり、この補助枠部の各コーナー部には、パネルに設けられた開口部を通してパッキングを取り外す際に内角を小さく変形させることが容易にできるように盛り上がった突出部が形成されていることを特徴とする。
【０００７】
【発明の実施の形態】
以下、本発明の実施の形態を、図面に基づいて詳細に説明する。
【０００８】
図１は、本発明の玄関ドアの実施の形態の一例を示す正面図である。この玄関ドア１０は、住宅の玄関に設けられた四角形状の開口部を覆う平板状に構成されており、玄関枠２０内にて、その玄関枠２０を開閉するように垂直に配置されている。
【０００９】
図２は、玄関ドア１０の縦断面図、図３は、その横断面図である。この玄関ドア１０は、長方形枠状に構成されたアルミニウム製の外枠体１１を有している。外枠体１１は、図２に示すように、上部および下部にそれぞれ水平に配置された断面コ字状の上部枠材１１ａおよび下部枠材１１ｂと、図３に示すように、玄関ドア１０の左右の各側縁部に沿ってそれぞれ垂直に配置された断面コ字状の一対の縦枠材１１ｃとを有している。
【００１０】
外枠体１１の内部には、保持枠体１２が配置されている。保持枠体１２は、外枠体１１における上部枠材１１ａの下側にて水平に配置された上枠１２ａと、外枠体１１における下部枠材１１ｂの上方にて水平に配置された下枠１２ｂと、左右の各側部にて、各一対同士がそれぞれ水平方向に等しい間隔をあけて垂直に配置された４本の縦枠１２ｃとを有している。各縦枠１２ｃは、下枠１２ｂおよび上枠１２ａの間に、それぞれ架設された状態になっている。そして、左右各一対の縦枠１２ｃ間に、例えば、合わせガラスによって構成されたガラス板１３がそれぞれ垂直に配置されている。
【００１１】
保持枠体１２における上枠１２ａには、各ガラス板１３の断面積よりも若干大きな開口面積で上下方向に貫通する一対の貫通孔１２ｄが、各ガラス板１３の上端面に対向してそれぞれ設けられている。また、外枠体１１の上部枠材１１ａにも、保持枠体１２における上枠１２ａに設けられた一対の貫通孔１２ｄとそれぞれ同様の大きさの一対のガラス板挿入用開口部１１ｄが、貫通孔１２ｄと対向状態で設けられている。外枠体１１の上部枠材１１ａに設けられた一対のガラス板挿入用開口部１１ｄは、上部枠材１１ａに着脱可能に取り付けられる蓋体１１ｅによって覆われている。
【００１２】
保持枠体１２における下枠１２ｂの上方には、各ガラス板１３をそれぞれ支持する一対の支持台１４が、対をなす各縦枠１２ｃ間にて、それぞれ水平に配置されている。
【００１３】
外枠体１１の前面（屋外側）および背面（屋内側）は、金属の薄板にてそれぞれ構成された正面パネル１５および背面パネル１６によってそれぞれ覆われている。正面パネル１５および背面パネル１６には、複数の正方形状をした開口部１５ａおよび１６ａが、各ガラス板１３の前方および後方に対向して、上下方向に等しい間隔をあけてそれぞれ設けられている。各開口部１５ａのおよび１６ａの周縁部には、正面パネル１５および背面パネル１６をそれぞれ構成する金属の薄板を各ガラス板１３に接近する方向に全周にわたって折り曲げて構成した係合部１５ｂおよび１６ｂがそれぞれ設けられている。そして、正面パネル１５における各係合部１５ｂに、正方形枠状をした正面側パッキング１７がそれぞれ係合されており、また、背面パネル１６における各係合部１６ｂにも、正方形枠状をした背面側パッキング１８が係合されている。
【００１４】
図４は、正面側パッキング１７の斜視図である。この正面側パッキング１７は、硬質弾性樹脂によって正方形枠状に一体成形されており、外周面１７ｂおよび内周面１７ｃがそれぞれ平坦に構成されるとともに、背面側の側面１７ｄも全体にわたって平坦に構成されている。そして、平坦になった背面側の側面１７ｄが、ガラス板１３の前面に突き合わされて圧接されるようになっている。正面側パッキング１７には、正面側の側面に開口する係合溝部１７ａが全周にわたって形成されており、この係合溝部１７ａよりも内周側に位置する部分は、係合溝部１７ａよりも外周側に位置する部分よりも、その突出量が若干小さくなっている。係合溝部１７ａ内には、正面パネル１５における各開口部１５ａの周縁部に設けられたそれぞれの係合部１５ｂが全周にわたって嵌入されることによって、各正面側パッキング１７が係合状態で支持されており、背面側の側面１７ｄがガラス板１３の正面にそれぞれ圧接されている。
【００１５】
図５（ａ）は、背面側パッキング１８の斜視図、図５（ｂ）は、その断面図である。この背面側パッキング１８は、正面側パッキング１７よりも柔らかい軟質弾性樹脂によって正方形枠状に一体成形されており、その内周部分には、内周面が全周にわたって平坦になった枠本体部１８ａが設けられている。この枠本体部１８ａは、一方の端部が厚肉になっており、その厚肉になった部分が、ガラス板１３の背面に圧接されるようになっている。枠本体部１８ａの厚肉になった部分には、断面Ｖ字状になったＶ溝１８ｂが全周にわたって形成されている。枠本体部１８ａにおけるＶ溝１８ｂが形成された端部とは反対側の端部は平板状に構成されているが、その端部の外周面は、全周にわたって、端面側になるにつれて順次外側に位置するテーパー面１８ｃになっている。
【００１６】
枠本体部１８ａにおける外周面には、補助枠部１８ｄが全周にわたって設けられている。この補助枠部１８ｄと、枠本体部１８ａにおけるテーパー面１８ｃに連続する外周面との間には、比較的浅い係合溝部１８ｅが全周にわたって設けられている。補助枠部１８ｄは、係合溝部１８ｅから離れるにつれて、順次、枠本体部１８ａの厚肉となった端部側に湾曲しており、その周縁部と、枠本体部１８ａの厚肉部との間には、全周にわたって凹部１８ｆが形成されている。また、補助枠部１８ｄにおける各コーナー部には、補助枠部１８ｄの湾曲面からさらに盛り上がった状態の突出部１８ｇがそれぞれ形成されており、各突出部１８ｇによって、各コーナー部の内角が小さくなるように容易に変形されるようになっている。
【００１７】
各背面側パッキング１８の係合溝部１８ｅには、背面パネル１６の各係合部１６ｂがそれぞれ全周にわたって係合されて、枠本体部１８ａの厚肉部および補助枠部１８ｄの周縁部がガラス板１３の背面に圧接された状態で、各背面側パッキング１８は、各係合溝部１８ｅに支持されるようになっている。
【００１８】
各背面側パッキング１８は、各正面側パッキング１７よりも軟質の合成樹脂によって構成されており、しかも、各コーナー部の内角が小さくなるように変形し得る用に各コーナー部に突出部１８ｇがそれぞれ設けられているために、各背面側パッキング１８は、対向する各コーナー部同士が相互に接近した状態にそれぞれ容易に変形される。
【００１９】
このような構成の玄関ドア１０では、各ガラス板１３を取り付ける場合には、正面パネル１５における各開口部１５ａの周縁部に設けられた係合部１５ｂに、正面側パッキング１７の係合溝部１７ａをそれぞれ全周にわたって係合させて、各正面側パッキング１７が支持された状態にするとともに、背面パネル１６における各開口部１６ａの周縁部に設けられた各係合部１６ａに、各背面側パッキン１８の係合溝部１８ｅをそれぞれ全周にわたって係合させて、各背面側パッキング１８がそれぞれ支持された状態とする。このような状態で、外枠体１１の上部枠材１１ａに取り付けられた蓋体１１ｅが取り外されて、上枠材１１ａの各ガラス板挿入用開口部１１ｄから各ガラス板１３が挿入される。各ガラス板挿入用開口部１１ｄからそれぞれ挿入される各ガラス板１３は、保持枠体１２の上枠１２ａに設けられた各貫通孔１２ｄを通って、正面パネル１５に支持された各正面側パッキング１７と、背面パネル１６に支持された各背面側パッキング１８との間を通過して、支持台１４上に支持された状態になる。
【００２０】
これにより、各ガラス板１３の正面には、正面パネル１５における上下方向に並んで配置された各開口部１５ａの周縁部を取り囲む正面側パッキング１７がそれぞれ圧接された状態になるとともに、各ガラス板１３の背面には、背面パネル１６における上下方向に並んで配置された各開口部１６ａの周縁部を取り囲む背面側パッキング１８がそれぞれ圧接された状態になり、各ガラス板１３は、保持枠体１２内にそれぞれ垂直状態で支持される。その後、外枠体１１の上部枠材１１ａに蓋体１１ｅが取り付けられて、上部枠材１１ａにおける各ガラス板挿入用開口部１１ｄが閉塞される。
【００２１】
このような玄関ドア１０では、ガラス板１３が損傷等によって取り替える必要がある場合には、玄関ドア１０の屋内側に位置する背面パネル１６に設けられた各開口部１６ａを通して、各開口部１６ａの周縁部を取り囲むように配置された背面側パッキング１８を、相互に対向する一対のコーナー部同士が相互に接近するように変形させる。これにより、各背面側パッキング１８の枠本体部１８ａが、各開口部１６ａの周縁部に設けられた係合部１６ｂから内側に移動した状態になり、背面側パッキング１８の係合溝部１８ｅと係合部１６ｂとの係合状態が解除される。そして、背面側パッキング１８は、変形した状態で、背面パネル１６の各開口部１６ａを通過され、背面パネル１６から取り外される。
【００２２】
このようにして、ガラス板１３の背面に圧接された各背面側パッキング１８が取り外されると、ガラス板１３は、上下方向に容易にスライドし得る状態になり、外枠体１１の上部枠材１１ａから蓋体１１ｅを取り外して開放された各ガラス板挿入用開口部１１ｄからガラス板１３が容易に取り外される。
【００２３】
【発明の効果】
本発明の玄関ドアは、このように、一方のパネルに設けられた開口部の周縁部に取り付けられてガラス板に圧接されているパッキングが、その開口部を通して容易に取り外すことができるために、ガラス板は容易にスライドし得る状態になり、ガラス板を容易に取り外すことができる。
【図面の簡単な説明】
【図１】本発明の玄関ドアの実施の形態の一例を示す正面図である。
【図２】その玄関ドアの縦断面図である。
【図３】その玄関ドアの横断面図である。
【図４】その玄関ドアに設けられた正面側パッキングの斜視図である。
【図５】（ａ）は、その玄関ドアに設けられた背面側パッキングの斜視図、（ｂ）は、その断面図である。
【符号の説明】
１０  玄関ドア
１１  外枠体
１１ａ  上部枠材
１１ｂ  下部枠材
１１ｃ  縦枠材
１１ｄ  ガラス板挿入用開口部
１２  保持枠体
１２ａ  上枠
１２ｂ  下枠
１２ｃ  縦枠
１２ｄ  貫通孔
１３  ガラス板
１４  支持台
１５  正面パネル
１５ａ  開口部
１５ｂ  係合部
１６  背面パネル
１６ａ  開口部
１６ｂ  係合部
１７  正面側パッキング
１７ａ  係合溝部
１８  背面側パッキング
１８ｅ  係合溝部
【図１】
0003635193.tif 000002
【図２】
0003635193.tif 000003
【図３】
0003635193.tif 000004
【図４】
0003635193.tif 000005
【図５】
0003635193.tif 000006